(57)【要約】      （修正有）【課題】ダンスをする際に姿勢をホールドするホールドサポーターを提供する。【解決手段】非伸縮性素材で形成された前身頃２であって、上前身頃２１及び下前身頃２２を備え、上前身頃及び下前身頃の合わせ部は面ファスナーが設けられて着脱可能である、前身頃と、伸縮性素材で形成された後身頃と、２つの袖７と、一端が右側の袖の袖口に固定され、他端が下前身頃の胸元に固定された胸元用バンド５であって、中間部に設けられた面ファスナーにより長さが調節可能であり、着用者の右腕が動く範囲を制限する胸元用バンドとを備えるホールドサポーターであって、袖は半袖であり、袖の袖口には、面ファスナーによって長さが調節できる袖口用バンド４が取り付けられており、袖口用バンドによって袖口が着用者の腕に固定され、後身頃３の襟の部分には、前身頃と後身頃との左右の縫合部に、両端が固定され、中間部に設けられた面ファスナーにより長さが調節可能である襟バンド６が取り付けられている。【選択図】図１
0003229083.tif 000002
【実用新案登録請求の範囲】
【請求項１】
非伸縮性素材で形成された前身頃であって、上前身頃及び下前身頃を備え、前記上前身頃及び前記下前身頃の合わせ部は面ファスナーが設けられて着脱可能である、前身頃と、
伸縮性素材で形成された後身頃と、
２つの袖と、及び、
一端が右側の前記袖の袖口に固定され、他端が前記下前身頃の胸元に固定された胸元用バンドであって、中間部に設けられた面ファスナーにより長さが調節可能であり、着用者の右腕が動く範囲を制限する胸元用バンドと、を備えるホールドサポーターであって、
前記袖は、前記前身頃から延伸された非伸縮性素材、及び、前記後身頃から延伸された伸縮性素材で形成された半袖であり、
前記袖の袖口には、前記袖口の全周に沿って、面ファスナーによって長さが調節できる袖口用バンドが取り付けられており、前記袖口用バンドによって前記袖口が着用者の腕に固定され、
前記後身頃の襟の部分には、前記前身頃と前記後身頃との左右の縫合部に、両端が固定され、中間部に設けられた面ファスナーにより長さが調節可能である襟バンドが取り付けられていることを、特徴とするホールドサポーター。
【請求項２】
非伸縮性素材で形成された前身頃であって、上前身頃及び下前身頃を備え、前記上前身頃及び前記下前身頃の合わせ部は面ファスナーが設けられて着脱可能である、前身頃と、
伸縮性素材で形成された後身頃と、
２つの袖と、及び、
一端が前記袖の中間に固定され、他端が前記前身頃及び前記後身頃の左右の縫合部における脇と裾の中間付近に固定され、左右に配置された２つのバンドであって、中間部に設けられた面ファスナーにより長さが調節可能である２つのバンドと、を備えるホールドサポーターであって、
前記袖は、前記前身頃から延伸された非伸縮性素材で形成された半袖であり、
前記袖の袖口には、前記袖口の全周に沿って、面ファスナーによって長さが調節できる袖口用バンドが取り付けられており、前記袖口用バンドによって前記袖口が着用者の腕に固定され、
前記後身頃の襟の部分には、前記前身頃と前記後身頃との左右の縫合部に、両端が固定され、中間部に設けられた面ファスナーにより長さが調節可能である襟バンドが取り付けられていることを、特徴とするホールドサポーター。
【請求項３】
前記上前身頃に設けられた前記面ファスナーは複数個が縦方向に延伸するように配置され、前記下前身頃に設けられた前記面ファスナーは複数個が横方向に延伸するように配置されていることを特徴とする、請求項１又は２に記載のホールドサポーター。
【請求項４】
肘に着用することで腕を折り曲げた状態に保持するための腕用サポーターをさらに備え、
前記腕用サポーターは、
伸縮性素材で形成された筒状のサポーターと、及び、
前記サポーターの両端に、端部が接続された腕用バンドであって、非伸縮性素材で形成され、中間部に設けられた面ファスナーにより長さが調節可能である腕用バンドと、を備え、
前記サポーターの両端には、面ファスナーによって長さが調節できる固定用バンドが、開口の全周に沿ってそれぞれ取り付けられており、２つの前記固定用バンドによって前記サポーターの両端が着用者の腕に固定され、
前記腕用サポーターを肘に着用し、腕を折り曲げた状態で前記腕用バンドの長さを調整して固定すると、着用者は腕を伸ばすことができなくなることを特徴とする、請求項１〜３のいずれか一項に記載のホールドサポーター。
【請求項５】
肘に着用することで腕を折り曲げた状態に保持するための腕用サポーターをさらに備え、
前記腕用サポーターは、
伸縮性素材で形成された筒状のサポーターと、及び、
前記サポーターの両端に、端部が接続され、サポーターに設けられたベルトループに通された腕用ベルトであって、中間部に設けられたバックルによって長さが調節可能である腕用ベルトと、を備え、
前記サポーターの両端には、バックルによって長さが調節できる固定用ベルトが、開口の周縁に沿ってそれぞれ取り付けられており、２つの前記固定用ベルトによって前記サポーターの両端が着用者の腕に固定され、
前記腕用サポーターを肘に着用し、腕を折り曲げた状態で前記腕用ベルトの長さを調整して固定すると、着用者は腕を曲げることができなくなることを特徴とする、請求項１〜３のいずれか一項に記載のホールドサポーター。
【考案の詳細な説明】
【技術分野】
【０００１】
本考案は、ダンスをする際に姿勢を保持するホールドサポーターに関する。
【背景技術】
【０００２】
スポーツ等をする際に姿勢を矯正するためのサポーターが、用途に応じて多数用いられている。例えば、特許文献１には、ゴルフスイングにおける最も基本的な動作の一つである左腕（左打ちの場合には右腕）の「肘の動作」を矯正したり、「左膝の動作」の動作を矯正する器具が開示されている、また、特許文献２には、ダンスやゴルフ等のスポーツのための姿勢サポーターが開示されているが、腹筋をサポートするためのサポーターであり、ダンス等のスポーツの際の姿勢を良くすることはできるが、ダンスのポーズ、特に社交ダンスの際のポーズをホールドできるような構造ではない。
【０００３】
引用文献３にはダンス用のサポーターが開示されているが、左足大腿部に装着する大腿部ホルダー部、右肩に装着するショルダー部、及び、これらを繋ぐベルト部を有したサポーターであり、ショルダー部をベルト部で後ろに引っ張ることで右肩が前のめりになるのを防ぐことができるが、肩だけしかサポートすることができない。
【先行技術文献】
【特許文献】
【０００４】
【特許文献１】特開２００４−１２１５７１号公報
【特許文献２】特開２００３−２５０９４６号公報
【特許文献３】特開２００４−１６６９２９号公報
【考案の概要】
【考案が解決しようとする課題】
【０００５】
本考案は、従来のような体の一部（腹筋、肩等）だけに作用するのではなく、ダンスの際に、腕を含めた上半身の姿勢をホールドすることができるホールドサポーターを提供することを目的とする。
【課題を解決するための手段】
【０００６】
本考案のホールドサポーターは、非伸縮性素材で形成された前身頃であって、上前身頃及び下前身頃を備え、前記上前身頃及び前記下前身頃の合わせ部は面ファスナーが設けられて着脱可能である、前身頃と、伸縮性素材で形成された後身頃と、２つの袖と、及び、一端が右側の前記袖の袖口に固定され、他端が前記下前身頃の胸元に固定された胸元用バンドであって、中間部に設けられた面ファスナーにより長さが調節可能であり、着用者の右腕が動く範囲を制限する胸元用バンドと、を備えるホールドサポーターであって、前記袖は、前記前身頃から延伸された非伸縮性素材、及び、前記後身頃から延伸された伸縮性素材で形成された半袖であり、前記袖の袖口には、前記袖口の全周に沿って、面ファスナーによって長さが調節できる袖口用バンドが取り付けられており、前記袖口用バンドによって前記袖口が着用者の腕に固定され、前記後身頃の襟の部分には、前記前身頃と前記後身頃との左右の縫合部に、両端が固定され、中間部に設けられた面ファスナーにより長さが調節可能である襟バンドが取り付けられていることを、特徴とする。
【０００７】
本考案の他の形態のホールドサポーターは、非伸縮性素材で形成された前身頃であって、上前身頃及び下前身頃を備え、前記上前身頃及び前記下前身頃の合わせ部は面ファスナーが設けられて着脱可能である、前身頃と、伸縮性素材で形成された後身頃と、２つの袖と、及び、一端が前記袖の中間に固定され、他端が前記前身頃及び前記後身頃の左右の縫合部における脇と裾の中間付近に固定され、左右に配置された２つのバンドであって、中間部に設けられた面ファスナーにより長さが調節可能である２つのバンドと、を備えるホールドサポーターであって、前記袖は、前記前身頃から延伸された非伸縮性素材で形成された半袖であり、前記袖の袖口には、前記袖口の全周に沿って、面ファスナーによって長さが調節できる袖口用バンドが取り付けられており、前記袖口用バンドによって前記袖口が着用者の腕に固定され、前記後身頃の襟の部分には、前記前身頃と前記後身頃との左右の縫合部に、両端が固定され、中間部に設けられた面ファスナーにより長さが調節可能である襟バンドが取り付けられていることを、特徴とする。
【０００８】
前記上前身頃に設けられた前記面ファスナーは複数個が縦方向に延伸するように配置され、前記下前身頃に設けられた前記面ファスナーは複数個が横方向に延伸するように配置されている。  
【０００９】
肘に着用することで腕を折り曲げた状態に保持するための腕用サポーターをさらに備え、前記腕用サポーターは、伸縮性素材で形成された筒状のサポーターと、及び、前記サポーターの両端に、端部が接続された腕用バンドであって、非伸縮性素材で形成され、中間部に設けられた面ファスナーにより長さが調節可能である腕用バンドと、を備え、前記サポーターの両端には、面ファスナーによって長さが調節できる固定用バンドが、開口の全周に沿ってそれぞれ取り付けられており、２つの前記固定用バンドによって前記サポーターの両端が着用者の腕に固定され、前記腕用サポーターを肘に着用し、腕を折り曲げた状態で前記腕用バンドの長さを調整して固定すると、着用者は腕を伸ばすことができなくなることを特徴とする。
【００１０】
肘に着用することで腕を折り曲げた状態に保持するための腕用サポーターをさらに備え、前記腕用サポーターは、伸縮性素材で形成された筒状のサポーターと、及び、前記サポーターの両端に、端部が接続され、サポーターに設けられたベルトループに通された腕用ベルトであって、中間部に設けられたバックルによって長さが調節可能である腕用ベルトと、を備え、前記サポーターの両端には、バックルによって長さが調節できる固定用ベルトが、開口の周縁に沿ってそれぞれ取り付けられており、２つの前記固定用ベルトによって前記サポーターの両端が着用者の腕に固定され、前記腕用サポーターを肘に着用し、腕を折り曲げた状態で前記腕用ベルトの長さを調整して固定すると、着用者は腕を曲げることができなくなることを特徴とする、
【考案の効果】
【００１１】
本考案のホールドサポーターは、非伸縮性素材で形成された前身頃であって、上前身頃及び下前身頃を備え、前記上前身頃及び前記下前身頃の合わせ部は面ファスナーが設けられて着脱可能である、前身頃と、伸縮性素材で形成された後身頃と、２つの袖と、及び、一端が右側の前記袖の袖口に固定され、他端が前記下前身頃の胸元に固定された胸元用バンドであって、中間部に設けられた面ファスナーにより長さが調節可能であり、着用者の右腕が動く範囲を制限する胸元用バンドと、を備えるホールドサポーターであって、前記袖は、前記前身頃から延伸された非伸縮性素材、及び、前記後身頃から延伸された伸縮性素材で形成された半袖であり、前記袖の袖口には、前記袖口の全周に沿って、面ファスナーによって長さが調節できる袖口用バンドが取り付けられており、前記袖口用バンドによって前記袖口が着用者の腕に固定され、前記後身頃の襟の部分には、前記前身頃と前記後身頃との左右の縫合部に、両端が固定され、中間部に設けられた面ファスナーにより長さが調節可能である襟バンドが取り付けられていることにより、ダンスをする際に、着用者の腕を含めた上半身を所定の姿勢でホールドすることができるので、ダンスをする人の姿勢を確実に矯正することができる。
【００１２】
本考案の他の形態のホールドサポーターは、非伸縮性素材で形成された前身頃であって、上前身頃及び下前身頃を備え、前記上前身頃及び前記下前身頃の合わせ部は面ファスナーが設けられて着脱可能である、前身頃と、伸縮性素材で形成された後身頃と、２つの袖と、及び、一端が前記袖の中間に固定され、他端が前記前身頃及び前記後身頃の左右の縫合部における脇と裾の中間付近に固定され、左右に配置された２つのバンドであって、中間部に設けられた面ファスナーにより長さが調節可能である２つのバンドと、を備えるホールドサポーターであって、前記袖は、前記前身頃から延伸された非伸縮性素材で形成された半袖であり、前記袖の袖口には、前記袖口の全周に沿って、面ファスナーによって長さが調節できる袖口用バンドが取り付けられており、前記袖口用バンドによって前記袖口が着用者の腕に固定され、前記後身頃の襟の部分には、前記前身頃と前記後身頃との左右の縫合部に、両端が固定され、中間部に設けられた面ファスナーにより長さが調節可能である襟バンドが取り付けられていることにより、ダンスをする際に、着用者の腕を含めた上半身を所定の姿勢でホールドすることができるので、ダンスをする人の姿勢を確実に矯正することができる。
【００１３】
肘に着用することで腕を折り曲げた状態に保持するための腕用サポーターをさらに備え、前記腕用サポーターは、伸縮性素材で形成された筒状のサポーターと、及び、前記サポーターの両端に、端部が接続された腕用バンドであって、非伸縮性素材で形成され、中間部に設けられた面ファスナーにより長さが調節可能である腕用バンドと、を備え、前記サポーターの両端には、面ファスナーによって長さが調節できる固定用バンドが、開口の全周に沿ってそれぞれ取り付けられており、２つの前記固定用バンドによって前記サポーターの両端が着用者の腕に固定され、前記腕用サポーターを肘に着用し、腕を折り曲げた状態で前記腕用バンドの長さを調整して固定すると、着用者は腕を伸ばすことができなくなることにより、ダンスをする人の腕もより強固にホールドすることができる。
【００１４】
肘に着用することで腕を折り曲げた状態に保持するための腕用サポーターをさらに備え、前記腕用サポーターは、伸縮性素材で形成された筒状のサポーターと、及び、前記サポーターの両端に、端部が接続され、サポーターに設けられたベルトループに通された腕用ベルトであって、中間部に設けられたバックルによって長さが調節可能である腕用ベルトと、を備え、前記サポーターの両端には、バックルによって長さが調節できる固定用ベルトが、開口の周縁に沿ってそれぞれ取り付けられており、２つの前記固定用ベルトによって前記サポーターの両端が着用者の腕に固定され、前記腕用サポーターを肘に着用し、腕を折り曲げた状態で前記腕用ベルトの長さを調整して固定すると、着用者は腕を曲げることができなくなることにより、ダンスをする人の腕もより強固にホールドすることができる。
【図面の簡単な説明】
【００１５】
【図１】本考案の第１の実施形態のホールドサポーターの正面図である。
【図２】第１の実施形態のホールドサポーターの面ファスナーを外した状態の正面図である。
【図３】第１の実施形態のホールドサポーターの背面図である。
【図４】第１の実施形態のホールドサポーターの面ファスナーを外した状態の背面図である。
【図５】本考案の第２の実施形態のホールドサポーターの正面図である。
【図６】第２の実施形態のホールドサポーターの面ファスナーを外した状態の正面図である。
【図７】第２の実施形態のホールドサポーターの背面図である。
【図８】第２の実施形態のホールドサポーターの面ファスナーを外した状態の背面図である。
【図９】腕用サポーターの正面図である。
【図１０】腕用サポーターの平面図である。
【図１１】腕用サポーターの面ファスナーを外した状態の正面図である。
【図１２】腕用サポーターの別の形態の正面図である。
【図１３】腕用サポーターの別の形態の底面図である。
【図１４】腕用サポーターの別の形態の面ファスナーを外した状態の正面図である。
【考案を実施するための形態】
【００１６】
本考案のホールドサポーター１，１’について、図１〜１４を用いて以下に詳細に説明する。まず初めに、図１〜４に記載されている第１の実施形態のホールドサポーター１について説明する。本考案の第１の実施形態のホールドサポーター１は、図１，２に示すように、非伸縮性素材で形成された上前身頃２１及び下前身頃２２を備えた前身頃２、伸縮性素材で形成された後身頃３、２つの袖７、及び、一端が右側の前記袖７の袖口に固定され、他端が前記下前身頃２２の胸元に固定された胸元用バンド５を備え、着用者の上半身をホールドすることで、ダンスをする際の姿勢を矯正することができる。
【００１７】
前記前身頃２は、図２に示すように、前記上前身頃２１及び前記下前身頃２２の合わせ部に、それぞれ面ファスナー２１１，２２１が複数設けられており、前記上前身頃２１及び前記下前身頃２２が着脱可能となっている。図２に示すように、前記面ファスナー２１１は、前記上前身頃２１に縦方向に互いに平行に延伸するように２個配置されており、前記面ファスナー２２１は、前記下前身頃２２に横方向に互いに平行に延伸するように３個配置されている。前記下前身頃２２に前記上前身頃２１を重ね合わせて、前記面ファスナー２２１と前記面ファスナー２１１とが互いに直交するように互いに貼り付けると、前記上前身頃２１と前記下前身頃２２とが固定される。この時、着用者の体形に合わせて、前記下前身頃２２に前記上前身頃２１を重ね合わせて固定することで、ホールドサポーター１を着用者にフィットさせることができる。前記面ファスナー２１１，２２１の個数及び配置については、適宜変更可能である。
【００１８】
前記袖７は、前記前身頃２から延伸された非伸縮性素材、及び、前記後身頃３から延伸された伸縮性素材で形成された半袖である。図１〜４に示すように、前記袖７の袖口には、前記袖口の全周に沿って、面ファスナー４１によって長さが調節できるリング状の袖口用バンド４が取り付けられている。前記袖口用バンド４は、非伸縮性素材で形成されており、図２に示すように、面ファスナー４１によって着脱可能な部分が設けられており、前記面ファスナー４１が設けられている付近が、前記袖７の袖口とは固定されていないことにより、前記面ファスナー４１を互いに貼り付ける位置を調節することで、前記袖７の袖口の大きさを調節して、着用者の腕に前記袖７の袖口を固定することができる。
【００１９】
図３，４に示すように、前記後身頃３の襟の部分には、非伸縮性素材で形成された襟バンド６が取り付けられている。図３，４に示すように、前記襟バンド６は、前記前身頃２と前記後身頃３との肩の左右の縫合部に、両端が固定されており、中間部に設けられた面ファスナー６１により長さが調節可能である。ホールドサポーター１を着用し、前記襟バンド６の長さを調節して前記面ファスナー６１を互いに貼り付けて固定すると、着用者は上半身の上側及び肩回りが後ろに引っ張られるような状態となり、腕を下げづらくなる。これにより、着用者はダンスの際に腕を挙げた状態を保持し易くなる。
【００２０】
前記胸元用バンド５は、非伸縮性素材で形成されており、図１，２に示すように、一端が右側の前記袖７の袖口に固定され、他端が前記前身頃２の下前身頃２２の胸元に固定されており、図２に示すような中間部に設けられた面ファスナー５１によって長さが調節可能となっている。図１に示すように、前記面ファスナー５１を互いに貼り付けて前記胸元用バンド５の長さを固定した状態とすると、前記胸元用バンド５の一端が固定された右側の前記袖７に通された着用者の右腕は、図１の状態から後ろに開く方向の動きが制限されることから、ホールドサポーター１を着用した人が、右腕を後ろに開き過ぎて姿勢が崩れるのを防止することができる。
【００２１】
前記前身頃２で使用される伸縮性素材としては、ポリエステル・ポリウレタン等を用いることができる。また、前記後身頃３等で使用される非伸縮性素材については特に限定するものではないが、衣服等で使用される様々な非伸縮性素材を用いることができる。面ファスナーについては、ループ部及びフック部を使用する側については特に限定するものではなく、面ファスナーの符号を記載している部分のいずれか一方をループ部とし、他方をフック部とすればよい。
【００２２】
本考案のホールドサポーター１は、面ファスナー２１１，２２１、及び、袖口用バンド４によって、着用者の体にフィットさせて確実に固定することができ、さらに、前記前身頃２を非伸縮性素材で形成し、前記襟バンド６を設けることにより、着用者の上半身及び腕の動きを制限し、さらに、前記胸元用バンド５によって腕が後ろに開くのを防止することができるので、社交ダンスの際の適切な姿勢を保持することができるという効果を奏する。
【００２３】
次に、本考案の第２の実施形態のホールドサポーター１’について、図５〜８を用いて以下に詳細に説明する。本考案の第２の実施形態のホールドサポーター１’は、図５，６に示すように、非伸縮性素材で形成された上前身頃２１’及び下前身頃２２’を備えた前身頃２’、伸縮性素材で形成された後身頃３’、２つの袖７’、一端が前記袖７’の中間に固定され、他端が前記前身頃２’及び前記後身頃３’の左右の縫合部における脇と裾の中間付近に固定され、左右に配置された２つのバンド９を備え、着用者の上半身をホールドすることで、ダンスをする際の姿勢を矯正することができる。
【００２４】
前記前身頃２’は、図６に示すように、前記上前身頃２１’及び前記下前身頃２２’の合わせ部に、それぞれ面ファスナー２１１’，２２１’が複数設けられており、前記上前身頃２１’及び前記下前身頃２２’が着脱可能となっている。図６に示すように、前記面ファスナー２１１’は、前記上前身頃２１’に縦方向に互いに平行に延伸するように２個配置されており、前記面ファスナー２２１’は、前記下前身頃２２’に横方向に互いに平行に延伸するように３個配置されている。前記下前身頃２２’に前記上前身頃２１’を重ね合わせて、前記面ファスナー２１１’と前記面ファスナー２２１’とが互いに直交するように互いに貼り付けると、前記上前身頃２１’と前記下前身頃２２’とが固定される。この時、着用者の体形に合わせて、前記下前身頃２２’に前記上前身頃２１’を重ね合わせて固定することで、ホールドサポーター１’を着用者にフィットさせることができる。前記面ファスナー２１１’，２２１’の個数及び配置については、適宜変更可能である。
【００２５】
前記袖７’は、前記前身頃２’から延伸された非伸縮性素材で形成された半袖である。図５〜８に示すように、前記袖７’の袖口には、前記袖口の全周に沿って、面ファスナー４１’によって長さが調節できるリング状の袖口用バンド４’が取り付けられている。前記袖口用バンド４’は、非伸縮性素材で形成されており、図６に示すように、面ファスナー４１’によって着脱可能な部分が設けられており、前記面ファスナー４１’が設けられている付近が、前記袖７’の袖口とは固定されていないことにより、前記面ファスナー４１’を互いに貼り付ける位置を調節することで、前記袖７’の袖口の大きさを調節して、着用者の腕に前記袖７’の袖口を固定することができる。
【００２６】
図７，８に示すように、前記後身頃３’の襟の部分には、非伸縮性素材で形成された襟バンド６’が取り付けられている。図７，８に示すように、前記襟バンド６’は、前記前身頃２’と前記後身頃３’との左右の肩の縫合部に、両端が固定されており、中間部に設けられた面ファスナー６１’により長さが調節可能である。ホールドサポーター１’を着用し、前記襟バンド６’の長さを調節して前記面ファスナー６１’を互いに貼り付けて固定すると、着用者は上半身の上側及び肩回りが後ろに引っ張られるような状態となり、腕を下げづらくなる。これにより、着用者はダンスの際に腕を挙げた状態を保持し易くなる。
【００２７】
２つの前記バンド９は非伸縮性素材で形成されており、図５，６に示すように、一端が前記袖７’の中間の下側に固定され、他端が前記前身頃２’及び前記後身頃３’の左右の縫合部における脇と裾の中間付近に固定されており、図６に示すような中間部に設けられた面ファスナー９１によって長さが調節可能となっている。図５に示すように、前記面ファスナー９１を互いに貼り付けて前記バンド９の長さを固定した状態とすると、前記バンド９の一端が固定された前記袖７’に通された着用者の腕は、図５の状態から、腕を上げる動きが制限されることから、ホールドサポーター１’を着用した人は、腕を上げ過ぎて姿勢が崩れるのを防止することができる。
【００２８】
前記前身頃２’及び前記袖７’で使用される伸縮性素材としては、ポリエステル・ポリウレタン等を用いることができる。また、前記後身頃３’等で使用される非伸縮性素材については特に限定するものではないが、衣服等で使用される様々な非伸縮性素材を用いることができる。面ファスナーについては、ループ部及びフック部を使用する側については特に限定するものではなく、面ファスナーの符号を記載している部分のいずれか一方をループ部とし、他方をフック部とすればよい。
【００２９】
本考案のホールドサポーター１’は、面ファスナー２１１’，２２１’、及び、袖口用バンド４’によって、着用者の体にフィットさせて確実に固定することができ、さらに、前記前身頃２’及び前記袖７’を非伸縮性素材で形成し、前記襟バンド６’を設けることにより、着用者の上半身及び腕の動きを制限し、さらに、２つの前記バンド９によって腕が上に上がり過ぎるのを防止することができるので、社交ダンスの際の適切な姿勢を保持することができるという効果を奏する。
【００３０】
本考案のホールドサポーター１，１’は、腕を折り曲げた状態で保持するための腕用サポーター１０，１０’をさらに備えることができる。２種類の腕用サポーター１０，１０’について、図９〜１４を用いて以下に詳細に説明する。
【００３１】
図９〜１１に示すように、腕用サポーター１０は、伸縮性素材で形成された筒状のサポーター１１、及び、前記サポーター１１の両端に、端部が接続された腕用バンド１３を備えており、前記サポーター１１に腕を通して肘に装着すると、腕を折り曲げた状態で保持することができる。前記腕用バンド１３は非伸縮性素材で形成され、図１１に示すように、中間部に設けられた面ファスナー１３１により長さが調節可能である。
【００３２】
前記サポーター１１の両端には、開口の全周に沿って、面ファスナー１２１によって長さが調節できるリング状の固定用バンド１２が取り付けられている。前記固定用バンド１２は非伸縮性素材で形成されており、図１１に示すように、面ファスナー１２１によって着脱可能な部分が設けられており、前記面ファスナー１２１が設けられている付近が、前記サポーター１１の開口の周縁とは固定されていないことにより、前記面ファスナー１２１を互いに貼り付ける位置を調節することで、前記サポーター１１の両端の開口の大きさを調節して、着用者の腕に前記サポーター１１を２か所で固定することができる。
【００３３】
前記腕用バンド１３は、図９，１０に示すような前記サポーター１１を折り曲げた状態で、前記面ファスナー１３１を互いに貼り付けて長さを固定すると、着用者は腕をさらに折り曲げることはできるが伸ばすことができなくなり、ダンスの際に腕を折り曲げた状態で固定し、所定の姿勢を保つことができる。前記腕用バンド１３の長さを調整することで、前記サポーター１１の折り曲げ角度を変更することも可能である。
【００３４】
前記サポーター１１の伸縮性素材としてはポリエステル・ポリウレタン等を用いることができる。また、前記腕用バンド１３等で使用される非伸縮性素材については特に限定するものではないが、衣服等で使用される様々な非伸縮性素材を用いることができる。面ファスナーについては、ループ部及びフック部を使用する側については特に限定するものではなく、面ファスナーの符号を記載している部分のいずれか一方をループ部とし、他方をフック部とすればよい。
【００３５】
本考案のホールドサポーター１，１’は腕用サポーター１０をさらに備えることにより、上半身、及び、腕の動きを制限するだけでなく、腕を折り曲げた状態で保持することができるので、ダンスの際の姿勢をより適切に矯正することができる。
【００３６】
次に、他の実施形態の腕用サポーター１０’について説明する。図１２〜１４に示すように、腕用サポーター１０’は、伸縮性素材で形成された筒状のサポーター１１’、及び、前記サポーター１１’の両端に、端部が接続された腕用ベルト１４を備えており、前記サポーター１１’に腕を通して肘に装着すると、腕をさらに折り曲げることができない状態で保持することができる。
【００３７】
前記腕用ベルト１４は、図１２〜１４に示すように、前記サポーター１１’に設けられたベルトループ１５に通されており、バックルによって長さが調節可能となっている。前記腕用サポーター１０’は、腕に装着して折り曲げた時に前記腕用ベルト１４が、図１２に示すように、下側となるように装着する。これにより、着用者は腕を伸ばすことはできるがさらに折り曲げることができなくなり、ダンスの際に腕を折り曲げた状態で固定し、所定の姿勢を保つことができる。前記腕用ベルト１４の長さを調整することで前記サポーター１１’の折り曲げ角度を変更することも可能である。
【００３８】
前記サポーター１１’の両端には、バックルによって長さが調節できる固定用ベルト１６が、開口の周縁に沿ってそれぞれ取り付けられており、２つの前記固定用ベルト１６によって前記サポーター１１’の両端を着用者の腕に固定することができる。前記固定用ベルト１６を取り付ける際に、前記サポーター１１’の開口の周縁に非伸縮性素材で形成したリングを縫い付けておき、前記リングに前記固定用ベルト１６の端部を固定することで、前記固定用ベルト１６を開口の周縁の全周に配置しなくても済むようにすることができる。前記固定用ベルト１６を、前記固定用バンド１２のように全周に配置することも可能である。
【００３９】
前記サポーター１１’の伸縮性素材としてはポリエステル・ポリウレタン等を用いることができる。また、前記腕用ベルト１４等はズボンのベルト等と同様の構造であり、材質についても様々な材質を用いることができるが、前記腕用サポーター１０’を腕に装着することを考慮して軽量な材質を用いることが好ましい。
【００４０】
本考案のホールドサポーター１，１’は、腕用サポーター１０’をさらに備えることにより、上半身、及び、腕の動きを制限するだけでなく、腕を折り曲げた状態で保持することができるので、ダンスの際の姿勢をより適切に矯正することができる。また、前記腕用サポーター１０とは腕を折り曲げた状態から制限する方向が異なることから、２種類の腕用サポーター１０，１０’を用意しておけば、着用者は希望する腕の動きを制限する方向に応じて選択することができる。
【００４１】
腕用サポーター１０及び腕用サポーター１０’は第１の実施形態のホールドサポーター１及び第２の実施形態のホールドサポーター１’のいずれにも用いることが可能であり、これらを選択して組み合わせることで、より効果的にダンスの際の姿勢を矯正することができる。
【符号の説明】
【００４２】
１，１’  ホールドサポーター
２，２’  前身頃
２１，２１’      上前身頃
２２，２２’      下前身頃
２１１，２１１’  面ファスナー
２２１，２２１’  面ファスナー
３，３’  後身頃
４，４’  袖口用バンド
４１，４１’      面ファスナー
５        胸元用バンド
５１      面ファスナー
６，６’  襟バンド
６１，６１’      面ファスナー
７，７’  袖
９        バンド
９１      面ファスナー
１０，１０’      腕用サポーター
１１，１１’      サポーター
１２      固定用バンド
１２１    面ファスナー
１３      腕用バンド
１３１    面ファスナー
１４      腕用ベルト
１５      ベルトループ
１６      固定用ベルト
【図１】
0003229083.tif 000003
【図２】
0003229083.tif 000004
【図３】
0003229083.tif 000005
【図４】
0003229083.tif 000006
【図５】
0003229083.tif 000007
【図６】
0003229083.tif 000008
【図７】
0003229083.tif 000009
【図８】
0003229083.tif 000010
【図９】
0003229083.tif 000011
【図１０】
0003229083.tif 000012
【図１１】
0003229083.tif 000013
【図１２】
0003229083.tif 000014
【図１３】
0003229083.tif 000015
【図１４】
0003229083.tif 000016